(57)【要約】【課題】開放時に容器内の消費財への改善されたアクセスを可能にするように構成された、摺動要素を備えた新規な容器を提供する。【解決手段】第１のヒンジ線の周りで枢動可能な第１のハウジング部分を含む外側ハウジングと、第１のヒンジ線に対向する第２のヒンジ線の周りで枢動可能な対向する第２のハウジング部分を含む。第１のハウジング部分及び第２のハウジング部分は、閉鎖位置と、これらのハウジング部分の間にアクセス開口がもたらされる取り出し位置との間で互いに対して移動可能であり、外側ハウジング内に固定して取り付けられた内側シェルと、内側シェル内に取り付けられた、消費財を収納するための摺動要素を含む。摺動要素は、閉鎖位置と取り出し位置との間での第１のハウジング部分及び第２のハウジング部分の移動が、内側シェルに対する摺動要素の摺動移動を引き起こすように外側ハウジングに接続される。【選択図】図２
2015517442.tif 000002
【特許請求の範囲】
【請求項１】
消費財のための容器であって、
第１のヒンジ線の周りで枢動可能な第１のハウジング部分と、対向する、第２のヒンジ線の周りで枢動可能な第２のハウジング部分とを含む外側ハウジングであって、前記第１のハウジング部分及び前記第２のハウジング部分は、該ハウジング部分が閉鎖される閉鎖位置と該ハウジング部分が離れて該ハウジング部分の間にアクセス開口がもたらされる取り出し位置との間で互いに対して移動可能である、外側ハウジングと、
前記外側ハウジング内に固定して取り付けられた内側シェルと、
前記内側シェル内に取り付けられ、前記消費財を収納するための摺動要素と、
を備え、
前記摺動要素は前記外側ハウジングに接続されており、前記第１のハウジング部分及び前記第２のハウジング部分の前記閉鎖位置と前記取り出し位置との間の移動が、前記摺動要素が前記内側シェル内にあり前記消費財が前記外側ハウジング内に収容される第１の摺動位置と、前記消費財が少なくとも部分的に前記内側シェルから突出して前記ハウジング部分の間の前記アクセス開口を通って少なくとも部分的にアクセス可能である第２の摺動位置との間の、前記内側シェルに対する前記摺動要素の摺動移動を引き起こすようになっていることを特徴とする容器。
【請求項２】
前記摺動要素は、該摺動要素の自由縁を前記第１のハウジング部分又は前記第２のハウジング部分の壁に接続する少なくとも１つの開放フラップによって前記外側ハウジングに接続され、前記少なくとも１つの開放フラップは、前記摺動要素及び対応する前記ハウジング部分にヒンジ結合される、請求項１に記載の容器。
【請求項３】
前記少なくとも１つの開放フラップは、前記摺動要素と一体に形成される、請求項２に記載の容器。
【請求項４】
前記少なくとも１つの開放フラップは、前記外側ハウジングの上壁に隣接して、対応する前記ハウジング部分の内側表面に接着される、請求項２又は３に記載の容器。
【請求項５】
前記摺動要素は、該摺動要素の対向する自由縁から延びる第１の開放フラップ及び対向する第２の開放フラップによって前記外側ハウジングに接続され、前記第１のハウジング部分及び前記第２のハウジング部分にそれぞれ接続される、請求項２から４のいずれかに記載の容器。
【請求項６】
前記摺動要素は、前記第２の摺動位置において、前記消費財の突出部があらゆる側に露出するようになっている、請求項１から５のいずれかに記載の容器。
【請求項７】
前記第１のハウジング部分及び前記第２のハウジング部分がその周りを枢動可能な前記第１のヒンジ線及び第２のヒンジ線は、前記外側ハウジングの前記底壁の対向する縁にわたって延びる、請求項１から６のいずれかに記載の容器。
【請求項８】
前記外側ハウジングの前記閉鎖位置では、前記第２のハウジング部分は、少なくとも部分的に前記第１のハウジング部分の内部に収容される、請求項１から７のいずれかに記載の容器。
【請求項９】
前記内側シェルは、前記外側ハウジングの前記底壁に付着される、請求項１から８のいずれかに記載の容器。
【請求項１０】
前記摺動要素が前記内側シェルから外れるのを防止するための保持手段を更に含む、請求項１から９のいずれかに記載の容器。
【請求項１１】
前記摺動要素を前記第２の摺動位置に保持するための保持手段を更に含む、請求項１から１０のいずれかに記載の容器。
【請求項１２】
前記外側ハウジングを前記閉鎖位置に保持するためのロック手段を更に含む、請求項１から１１のいずれかに記載の容器。
【請求項１３】
前記内側シェルの縦断面形状は実質的に矩形であり、前記内側シェル内に取り付けられる前記摺動要素の縦断面形状は実質的に台形である、請求項１から１２のいずれかに記載の容器。
【請求項１４】
複数の喫煙物品が前記摺動要素内に収納される、請求項１から１３のいずれかに記載の容器。
【請求項１５】
請求項１から１４いずれかの記載の容器から消費財にアクセスする方法であって、該方法は、
前記外側ハウジングの前記第１のハウジング部分及び前記第２のハウジング部分を前記閉鎖位置から前記取り出し位置へ互いに遠ざかるように移動させ、これによって同時に、前記消費財が少なくとも部分的に内側シェルから突出して前記アクセス開口を通って少なくとも部分的にアクセス可能となるように、前記摺動要素を前記第１の摺動位置から前記第２の摺動位置へ移動させる段階と、
前記外側ハウジングの前記第１のハウジング部分及び前記第２のハウジング部分を前記取り出し位置から前記閉鎖位置へ互いに向かって移動させ、これによって同時に、未使用の消費財が前記容器の内部に戻るように、前記摺動要素を前記第２の摺動位置から前記第１の摺動位置へ移動させる段階と、
を含む方法。
【発明の詳細な説明】
【技術分野】
【０００１】
本発明は、容器の内部から消費財を分配するための摺動要素を含む、消費財のための新規な容器に関する。本発明の容器は、シガレットのような細長い喫煙物品を収納するための容器として特定の用途がある。
【背景技術】
【０００２】
細長い喫煙物品及び他の消費財を折り畳まれた積層ブランクから形成した容器に包装することは公知である。シガレット及びシガーのような細長い喫煙物品は、一般的に、喫煙物品を収納するための箱と、容器の後壁を横切って延びるヒンジ線の周りで箱に接続された蓋とを有するヒンジ蓋パックに入れて販売される。使用に際しては、蓋がヒンジ線の周りを枢動してパックを開放するようになっているので、箱内に保持された喫煙物品へのアクセスが得られる。
【０００３】
ヒンジ蓋の有無に関わらず、スライド及びシェル式容器も公知である。例えば、米国特許第３，８５８，７８８号及び米国特許第３，９３３，２９９号には、外側シェルに収納され、ヒンジ蓋を備えた内側スライドを有するヒンジ蓋容器が記載されている。外側シェルは、内側スライドを取り囲むスリーブの形状を有する。
【０００４】
従来から、内側スライドが外側シェルに対して上向きに押される際に取り出し位置へ移動するヒンジ蓋を有するスライド及びシェル式容器を提供することが提案されている。例えば、欧州公開特許第２，０２９，４４６号には、外側パックの内部に取り付けられた内側パックを有するヒンジ蓋容器が記載されており、ヒンジ蓋は、外側パックの一側に設けられる。内側パック及び外側パックは、例えば内側パックが上向き方向に押される際の外側パックに対する内側パックの変位によって外側パックのヒンジ蓋が取り出し位置に移動するように接続されている。
【０００５】
何れかのこれらの公知のヒンジ蓋容器から喫煙物品を取り出すためには、消費者は、最初にヒンジ蓋を開放し、次に、容器の内部に収納された喫煙物品の束から１つの喫煙物品を引き出す必要がある。通常、全ての喫煙物品の長さは同じであり更に同じ高さに位置付けされているので、１つの喫煙物品だけを周りの他の喫煙物品に接触することなく容器から取り出すことは、特に容器が比較的いっぱいの場合には難しいであろう。
【先行技術文献】
【特許文献】
【０００６】
【特許文献１】米国特許第３，８５８，７８８号
【特許文献２】米国特許第３，９３３，２９９号
【特許文献３】欧州公開特許第２，０２９，４４６号
【発明の概要】
【発明が解決しようとする課題】
【０００７】
開放時に容器内の消費財への改善されたアクセスを可能にするように構成された、摺動要素を備えた新規な容器を提供することが望ましいであろう。具体的には、個々の消費財を容器から好都合に抜き取ることを可能にするような容器を提供することが望ましいであろう。加えて、消費者に消費財の群又は束の中から特定の消費財を選択するための大きな柔軟性をもたらす摺動要素を備えた新規な容器を提供することが望ましいであろう。
【課題を解決するための手段】
【０００８】
本発明によれば、外側ハウジングと、内側シェルと、消費財を収納するための摺動要素とを備える、消費財のための容器が提供される。外側ハウジングは、第１のヒンジ線の周りで枢動可能な第１のハウジング部分と、第１のヒンジ線に対向する第２のヒンジ線の周りで枢動可能な第２のハウジング部分とを備える。第１のハウジング部分及び第２のハウジング部分は、ハウジング部分が閉鎖される閉鎖位置とハウジング部分が離れてこれらのハウジング部分の間にアクセス開口がもたらされる取り出し位置との間で互いに対して移動可能であるようになっている。内側シェルは、外側ハウジング内に固定して取り付けられ、摺動要素は、この内側シェル内に取り付けられる。
【０００９】
本発明の以下の説明では、用語「取り出し位置」は、摺動要素内に収納された消費財のうちの少なくとも１つの取り出しを可能にする、ハウジング部分の１つの位置を説明するために使用される。
【００１０】
本発明による容器では、摺動要素は、閉鎖位置と取り出し位置との間での第１のハウジング部分及び第２のハウジング部分の移動が第１の摺動位置と第２の摺動位置との間での内側シェルに対する摺動要素の摺動移動を引き起こすように外側ハウジングに接続される。第１の摺動位置では、摺動要素は、内側シェル内にあり、消費財は、外側ハウジング内に収容される。第２の摺動位置では、消費財は、少なくとも部分的に内側シェルから突出しており、ハウジング部分の間のアクセス開口を通して少なくとも部分的にアクセス可能である。
【００１１】
第２の摺動位置では、消費財は、少なくとも部分的に摺動要素から突出することが好ましい。第２の摺動位置では、消費財は、少なくとも部分的に外側ハウジングから突出することがより好ましい。消費財は、消費財の上端が閉鎖された容器の高さよりも大きな高さに達するように上昇することが好ましい。
【００１２】
本発明による容器は、少なくとも３つの別々の構成要素、外側ハウジング、内側シェル及び、摺動要素から構成される。これらの少なくとも３つの別々の構成要素は、外側ハウジングのハウジング部分が離れることで摺動要素が自動的に移動して外側ハウジング内のアクセス開口から消費財を分配するように、互いに取り付けられて接続される。従って、容器は、簡素な開放動作を利用して消費財の自動分配を実現する。
【００１３】
更に、前述の３つの構成要素を備えた本発明による容器の構造は、あらゆる側から消費財の突出部にアクセスすることを可能にするので、個々の消費財を、消費財の群又は束から容易に抜き取ることができる。更に、これは、摺動要素内の消費財の可視性の改善、従って、容器が取り出し位置にある場合に消費財を誇示するユニークな方法を提供する。容器が開放されている場合の消費財へのアクセス容易性及び可視性の改善の結果として、複数の消費財のうちのどれを容器から取り出すかに関して、大きな選択肢を消費者に与えることもできる。
【００１４】
本発明による容器は、外側ハウジングの閉鎖位置では、消費財が外側ハウジング及び内側シェル内に完全に収容及び保護された状態を維持するように構成される。従って、容器の各開放の間での容器内の消費財の状態及び鮮度を維持することができる。
【００１５】
前述のように、本発明による容器は、少なくとも３つの別々の構成要素、外側ハウジング、内側シェル及び摺動要素から構成される。外側ハウジングは、内側シェル及び摺動要素を収納する、容器の最も外側の部分となる。内側シェルは、内側シェルと外側ハウジングとの相対移動が無いように外側ハウジング内に固定して取り付けられる。摺動要素は、内側シェル内に取り付けられ、内側シェルに対して、従って外側ハウジングに対して摺動可能である。以下に詳細に説明するように、摺動要素は、外側ハウジングの各ハウジング部分の互いに対する移動が自動的に摺動要素及び内側シェルの相対的な摺動移動を引き起こすように外側ハウジングに接続される。摺動要素と外側ハウジングとの間の接続手段は、外側ハウジングの一体部分とすること、摺動要素の一体部分とすることができる。代替的に、接続手段は、例えば接着剤によって外側ハウジング及び摺動要素の両方に接続された付加的な材料とすることができる。別々の要素としての接続手段の提供は、外側ハウジング又は摺動要素に対する一体部分としての接続手段の構成とは対照的に、接続手段の配置及び寸法の柔軟性を高くすることができる。
【００１６】
外側ハウジング内へ固定された内側シェルの提供は、本発明による容器に、２つだけの摺動可能に移動可能な構成要素を備える先行技術の容器と比較して、幾つかの利点をもたらす。摺動要素の周りに内側シェルを提供することにより、容器の剛性及び安定性が高くなり、保管中の消費財の保護が改善される。以下に詳細に説明するように、好都合には、内側シェルは、摺動要素と外側ハウジングとの間の接続を妨げることなく、摺動要素が第２の摺動位置にあり外側ハウジングが開放されている場合に消費財へのアクセスに影響を与えないように適合させることができる。
【００１７】
更に、内側シェルは、摺動要素の動き案内し、特に所望の方向への動きだけが可能であるように摺動要素の動きを制限することができる。これは、容器を繰返し開放した後であっても滑らかな開閉動作を維持することを可能にする。
【００１８】
摺動要素を取り付けて摺動要素の移動を案内するための内側シェルの提供は、好都合には、外側ハウジングが摺動要素を収容又は案内する必要が全くないので、外側ハウジングのハウジング部分の相対移動におけるより大きな柔軟性ももたらす。具体的には、取り出し位置において各ハウジング部分が互いに対して更に遠くに離れることができるように、より大きな距離の各ハウジング部分の相対移動を提供することが可能である。これはより大きなアクセス開口をもたらすので、消費財へのアクセスを改善することができる。加えて、より大きな距離のハウジング部分の相対移動は、より大きな距離の摺動要素と内側シェルとの相対移動を可能にする。結果として、摺動要素は、第１の摺動位置から第２の摺動位置に、より大きな距離を移動することができるので、消費財がアクセス開口から突出する比率が大きくなる。これにより、容器が開放された場合の消費財へのアクセス容易性が更に改善される。
【００１９】
内側シェルの一実施形態の構造及び機能を、以下に更に詳細に説明する。
【００２０】
外側ハウジングのハウジング部分が取り出し位置へ移動する際に内側シェルに対する摺動要素の移動を引き起こすために、摺動要素は、外側ハウジングに接続される。摺動要素は、第１のハウジング部分及び第２のハウジング部分のいずれか一方に接続することができ、第１のハウジング部分及び第２のハウジング部分の両方に接続することもできる。摺動要素は、外側ハウジングの内側に取り付けること、従って外側ハウジングの内側表面に接続することが好ましい。
【００２１】
本発明の以下の説明では、本発明による容器の構成要素の相対的位置を説明するのに用いられる用語「前部」、「後部」、「上側」、「下側」、「側部」、「上部」、「底部」及び他の用語は、アクセス開口が上端にある直立位置の容器を参照する。本発明による容器を説明する場合、これらの用語は、説明される容器の向きに無関係に用いられる。
【００２２】
用語「左」及び「右」は、容器をその直立位置で前から見た場合の容器の側壁を参照して用いられる。用語「縦の」は、底部から上部に向かう方向を指し、逆もまた同様である。用語「横の」は、縦方向に垂直な方向を指す。
【００２３】
同様に、用語「上向きに」及び「下向きに」は、容器が直立位置にある場合の容器の内側シェル及び外側ハウジングに対する摺動要素の移動を説明するために用いられる。
【００２４】
用語「ヒンジ線」は、その周りで容器の構成要素が枢動することができる線を指す。ヒンジ線は、例えば、容器を形成するパネル内の折り畳み線又はスコア線とすることができる。代替的に、ヒンジは、容器の２つの要素の間の間隙に架け渡されるラベルによって形成することができる。
【００２５】
摺動要素は、該摺動要素の自由縁を第１のハウジング部分又は第２のハウジング部分の壁に接続する少なくとも１つの開放フラップによって外側ハウジングに接続されることが好ましく、少なくとも１つの開放フラップは、摺動要素及び対応するハウジング部分にヒンジ結合される。
【００２６】
外側ハウジングが開放される際に、第１のハウジング部分及び第２のハウジング部分が互いに離れるように移動し、少なくとも１つの開放フラップは、対応するハウジング部分と共に引っ張られることになる。開放フラップが対応するハウジング部分と共に引っ張られる際に、摺動要素も引っ張られることになり、第２の摺動位置に向けて内側シェルに対して摺動されることになる。少なくとも１つの開放フラップは、ハウジング部分が離れるように移動する際にフラップが屈曲できるようにするために、摺動要素と外側ハウジングの両方に、それぞれのヒンジ線に沿って接続される。少なくとも１つの開放フラップは、ハウジング部分が離れるように引っ張られる場合に開放フラップがヒンジ線から遠ざかるいずれの位置においても屈曲又は座屈しないが、摺動要素に引っ張り力を伝達することはできように、十分に剛性があることが好ましい。
【００２７】
互いに遠ざかるハウジング部分の移動の度合いは、通常、少なくとも１つの開放フラップによって制限されることになり、これによって、ヒンジ線に沿って開放フラップが更に屈曲することが不可能となる特定の地点を越えてハウジング部分が更に相対移動するのが防止されることになる。従って、摺動要素が内側シェルに対して移動できる距離は、通常、少なくとも１つの開放フラップの長さによって決定されることになる。開放フラップの「長さ」は、開放フラップが摺動要素に接続されるヒンジ線と外側ハウジングとの間の距離を指す。好ましくは、少なくとも１つの開放フラップは、容器の長さすなわち高さの少なくとも３分の１、好ましくは少なくとも２分の１の長さを有する。
【００２８】
少なくとも１つの開放フラップが摺動要素に接続されるヒンジ線は、摺動要素が第１の摺動位置にある場合の内側シェルの高さ又はそれよりも上に位置決めされることが好ましい。この構成は、ハウジング部分が取り出し位置に向かって移動する際のヒンジ線に沿った開放フラップの即座の屈曲を可能にするので、摺動要素の移動は内側シェルによって抑制されない。従って、この構成により、少なくとも１つの開放フラップは、第１の摺動位置では内側シェルの外側に設けられ、摺動要素が第２の摺動位置に移動する際に内側シェルの外側に留まる。
【００２９】
従って、第１の摺動位置では、少なくとも１つの開放フラップは、通常、摺動要素内部の消費財と外側ハウジングとの間に位置し、摺動要素の壁のうちの１つ又はそれ以上の延長部分を形成する。この構成により、外側ハウジングが閉鎖されている場合の容器の剛性が更に高くなり、摺動要素に収納された消費財の保護が改善される。少なくとも１つの開放フラップは、該開放フラップが垂下する摺動要素の壁の実質的に全幅にわたって延びることが好ましい。
【００３０】
少なくとも１つの開放フラップは、同じ積層ブランクから、摺動要素と一体に形成されることが好ましい。従って、少なくとも１つの開放フラップは、好ましくは、摺動要素の開放フラップと隣接する壁との間に設けられる折り畳み線又はスコア線のような脆弱線に沿って、摺動要素の残部に対して枢動可能である。摺動要素を形成するための積層ブランクへの少なくとも１つの開放フラップの一体化は、本発明による容器の生産及び組み立てを容易にし、摺動要素と外側ハウジングとの間のより確実な接続をもたらす。
【００３１】
開放フラップの端部は、適切な接着剤によって、対応するハウジング部分の内側表面に接続されることが好ましい。開放フラップと対応するハウジング部分の内側表面との間の接続の位置は、ハウジング部分の所望の相対移動の程度及び摺動要素の所望の移動の程度に応じて調整することができる。開放フラップの端部は、外側ハウジングの上壁に最も近い位置において、外側ハウジングの対応するハウジング部分の内側表面に接着されることが好ましい。この位置決めは、開放フラップの潜在的移動距離、従って内側シェルから抜け出してアクセス開口を通る摺動要素の潜在的移動距離を最大化する。
【００３２】
摺動要素をハウジング部分のうちの１つに接続する単一の開放フラップを、摺動要素の片側に備えることができる。しかしながら、一対の対向する開放フラップを設けて、摺動要素を第１のハウジング部分及び第２のハウジング部分の両方に接続することがより好ましい。このような実施形態では、第１の開放フラップ及び対向する第２の開放フラップは、それぞれ、摺動要素の対向する自由縁から、第１のハウジング部分及び第２のハウジング部分の内側表面まで延びる。
【００３３】
本発明による容器の摺動要素は、消費財を収納するようになっている。消費財は、摺動要素の底壁上に支持されることが好ましい。摺動要素は、消費財を少なくとも部分的に収容することが好ましい。摺動要素は、好ましくは開放端を有し、外側ハウジングのアクセス開口を通るか又はそれに向かって移動する端部において消費財は摺動要素から突出する。消費財の一部が摺動要素の上部を通って突出するように、摺動要素は、上側開放端を有することが最も好ましい。この構成は、外側ハウジングが開放された場合に、消費財が消費者に直ちにアクセス可能となることを保証する。
【００３４】
特に好ましい実施形態では、摺動要素は、第２の摺動位置では、外側ハウジング内に残存する消費財の一部分のみを収容し、従って、消費財は、摺動要素の上側自由縁よりも上方に突出する。従って、消費財の第２の摺動位置においてアクセス開口を通って突出する部分には覆いがなく、あらゆる側に露出している。前述のように、これは、例えば従来のヒンジ蓋容器と比較して、消費財の全てに対する改善されたアクセスのみならず、改善された消費財の可視性をもたらす。
【００３５】
代替的に、摺動要素は、消費財を完全に収容することができる。しかしながら、この場合には、第２の摺動位置において蓋又は開放フラップの開口部を通じて消費財にアクセスできるように、摺動要素に適切な蓋又は開放フラップを備えることが好ましい。
【００３６】
前述のように、少なくとも１つの開放フラップは、通常は摺動要素の上縁となることになる摺動要素の自由縁から延びる。開放フラップは、摺動要素の対向する前壁及び後壁の上縁から延びることが好ましい。摺動要素が第１の摺動位置にある場合の外側ハウジングの閉鎖位置では、容器が閉鎖されている場合に消費財がさらに取り囲まれるように、開放フラップは、摺動要素の対向する壁の延長部分を形成することが好ましい。
【００３７】
本発明による容器の摺動要素は、好ましくは、複数の細長い消費財、最も好ましくは複数の喫煙物品を収納する。摺動要素内部の複数の消費財は、好ましくは、適切な内側ラッパー又はライナで包装され、この内側ラッパー又はライナは、最初に容器を開放する際に、少なくとも消費財の突出する部分から取り除く必要がある。少なくとも細長い消費財の上側部分は、摺動要素の上側自由縁よりも上に突出することが好ましい。
【００３８】
本発明による容器の外側ハウジングは、各々が外側ハウジングに設けられたヒンジ線の周りで枢動可能な第１のハウジング部分及び第２のハウジング部分を含む。外側ハウジングの取り出し位置では、第１のハウジング部分及び第２のハウジング部分は、共に閉鎖されて閉鎖容器となる。容器は、ハウジング部分を互いに遠ざかるように移動させてアクセス開口をもたらすことで開放される。
【００３９】
第１のハウジング部分及び第２のハウジング部分は、容器の対向する側部に備えられる。第１のハウジング部分及び第２のハウジング部分は、容器の前部及び後部に設けることが好ましい。
【００４０】
第１のハウジング部分及び第２のハウジング部分は、外側ハウジングにわたって延びる第１のヒンジ線及び第２のヒンジ線の周りでそれぞれ枢動可能である。第１のヒンジ線及び第２のヒンジ線の位置は、ハウジング部分が形成する外側ハウジングの割合によって決定されることになる。
【００４１】
本発明の好ましい実施形態では、第１のハウジング部分及び第２のハウジング部分は、容器の外側ハウジング全体を構成する。第１のヒンジ線及び第２のヒンジ線は、好ましくは外側ハウジングの底壁の対向する縁に沿って、最も好ましくは底壁の前縁及び後縁に沿って設けられる。
【００４２】
従って、このような実施形態では、第１のハウジング部分及び第２のハウジング部分を互いに離れるように移動させることによって外側ハウジング全体を開けることが可能である。これは、外側ハウジングの取り出し位置に、比較的広いアクセス開口を有利に提供する。加えて、好都合には、互いに離れるようなハウジング部分の潜在的相対移動領域がより大きく、このことが結果的に、アクセス開口を通って出る摺動要素のより大きな潜在的移動領域をもたらす。このようにして、外側ハウジングの取り出し位置における消費財のアクセス容易性が最適化される。
【００４３】
代替的実施形態では、第１のハウジング部分及び第２のハウジング部分は、外側ハウジングの蓋を形成することができ、外側ハウジングは、容器の他の構成要素の周りで閉鎖したままである箱を更に含むことができる。この場合には、第１のハウジング部分及び第２のハウジング部分は、第１のヒンジ線及び第２のヒンジ線に沿って、外側ハウジングの箱に対して枢動可能である。従って、第１のヒンジ線及び第２のヒンジ線は、外側ハウジングの対向する壁に沿った中間位置で、最も好ましくは外側ハウジングの前壁及び後壁に沿って枢動する。
【００４４】
このような実施形態では、容器は、ハウジング部分によって形成される２部分蓋を有し、この蓋は、ハウジング部分が互いに離れるように移動される際に開く。この構成は、通常、特定の種類の消費財に適する、より制限されたサイズのアクセス開口を提供する。
【００４５】
外側ハウジングの閉鎖位置では、第２のハウジング部分は、少なくとも部分的に第１のハウジング部分の内部に収容されることが好ましい。閉鎖位置では、第２のハウジング部分の上壁及び側壁は、第１のハウジング部分の内部に完全に収容されることがより好ましい。第１のハウジング部分の内部への第２のハウジング部分の少なくとも部分的な収容は、ハウジング部分の壁の少なくとも部分的な重なりをもたらす。例えば、閉鎖位置で第２のハウジング部分が第１のハウジング部分の内部に完全に収容される場合、第１のハウジング部分の壁は、第２のハウジング部分の対応する壁の上に重なることになる。これは、閉鎖された容器により大きな剛性をもたらす。加えて、ハウジング部分の対応する壁の重なりは、外側ハウジングをより安全に閉鎖し、消費財の保護を改善する。
【００４６】
代替的実施形態では、第１のハウジング部分及び第２のハウジング部分は、ハウジング部分の自由縁が互いに当接する状態で共に閉鎖することができ、これにより、どちらのハウジング部分も、他方のハウジング部分に挿入又は受け入れられない。この場合には、外側ハウジングの閉鎖位置ではハウジング部分の壁の重なりはないが、第２のハウジング部分の壁は、第１のハウジング部分の対応する壁から延びて、閉鎖された外側ハウジングの壁を形成する。
【００４７】
ハウジング部分を互いに離れるように外側ハウジングの取り出し位置に移動させるためのハウジング部分の把持を容易にするために、第１のハウジング部分又は第２のハウジング部分の自由縁に沿って１つ又はそれ以上の切り欠きが設けられることが好ましい。例えば、外側ハウジングの閉鎖位置では第２のハウジング部分が第１のハウジング部分の内部に少なくとも部分的に収容される実施形態では、第２のハウジング部分を把持できるようにするために、第１のハウジング部分の自由縁に沿って１つ又はそれ以上の切り欠きが設けられることが好ましい。第１のハウジング部分の自由側縁に沿って、一対の実質的に対向する切り欠きが設けられることが好ましい。
【００４８】
前述のように、本発明による容器の外側ハウジングの第１のハウジング部分及び第２のハウジング部分は、ハウジング部分をそれらのそれぞれの第１のヒンジ線及び第２のヒンジ線の周りで枢動させることによって、互いに向かうように及び遠ざかるように移動可能である。通常、より離れるようにハウジング部分が互いに移動されるほど、取り出し位置において提供されることになるアクセス開口はより広くなる。
【００４９】
閉鎖位置から取り出し位置にハウジング部分を移動させるためには、通常は外向き及び下向き方向に、ハウジング部分を互いに遠ざかるように引っ張る。例えば、ハウジング部分が外側ハウジング全体を形成し、外側ハウジングの底部にヒンジ線が設けられた前述の実施形態では、閉鎖位置と取り出し位置の両方において、ハウジング部分は、底部端において接した状態を維持することになる。
【００５０】
本発明による容器は、通常、外側ハウジングが可能な最大限度まで開放される外側ハウジングの取り出し位置を定めるために、各ハウジング部分の距離間隔を制限する手段を含むことになる。前述のように、外側ハウジングの取り出し位置は、摺動要素を外側ハウジングに接続する開放フラップによって制御することができる。代替的に又は追加的に、以下に説明するように、容器の構成要素の相対移動を制限するために保持手段を備えることができる。消費者は、取り出し位置よりも少ない範囲でハウジング部分が互いに離れるように、外側ハウジングを部分的に開放することを選択できる。
【００５１】
外側ハウジングが取り出し位置にある場合にもたらさえるアクセス開口は、分離した各ハウジング部分の間の空間に相当する。アクセス開口は、好ましくは、容器の上端に位置する。従って、取り出し位置では、消費財は、外側ハウジングの上部を通じて突出する。アクセス開口は、好ましくは、取り出し位置におけるハウジング部分の分離の程度に応じて、外側ハウジングの側部を下って少なくとも途中まで更に延びる。これは、容器からの消費財の取り出しを更に容易にすることができる。アクセス開口は、摺動要素内に収容された消費財の全てを各ハウジング部分の間の空間を通じて放出できるようにするのに十分に広い必要がある。
【００５２】
本発明による容器の外側ハウジングは、好ましくは、第１のハウジング部分及び第２のハウジング部分、並びに第１のヒンジ線及び第２のヒンジ線を形成するための適切な折り畳み線及びカット線の構成を含む単一の積層ブランクで形成される。外側ハウジングが単一の積層ブランクから形成される場合、第１のハウジング部分及び第２のハウジング部分は互いに接続され、通常、底壁のような共通の壁を共有することになる。
【００５３】
外側ハウジングの閉鎖位置では、外側ハウジングは、実質的に直方体の形状であることが好ましい。前述のように、外側ハウジングは、内側シェル及び摺動要素を収容する。閉鎖位置では、外側ハウジングは、開口部又は開放端を備えず、内側シェル及び摺動要素を完全に収容することが好ましい。これは、摺動要素内部の消費財に対する最適な保護を提供する。
【００５４】
本発明による容器の外側ハウジングは、ハウジング部分を閉鎖位置にロックするためのロックデバイスを更に含むことが好ましい。ロックデバイスは、各ハウジング部分を互いに離れるように引っ張るために積極的な力が付与されるまで、各ハウジング部分が離れないようにする。これは、不注意による外側ハウジングの開放の可能性を低減し、それにより、各使用の間、容器内部の消費財が安全に保持される。閉鎖位置において第２のハウジング部分が第１のハウジング部分内に少なくとも部分的に収容される場合、ハウジング部分の重なり合う壁の間にロックデバイスを好都合に備えることができる。ロックデバイスとしては、例えば、１つ又はそれ以上の磁石、Ｖｅｌｃｒｏ（登録商標）ストリップ、低粘着性接着剤、ハウジング部分のうちの少なくとも１つにおけるエンボス加工又はデボス加工を施した領域を挙げることができる。
【００５５】
特定の好ましい実施形態では、ロックデバイスは、ハウジング部分を閉鎖位置に保持するために他方のハウジング位置と係合することができる、ハウジング部分のうちの１つに設けられた少なくとも１つのロックフラップを含む。少なくとも１つのロックフラップは、他方のハウジング部分に設けられた対応するフラップと係合することができる。フラップの係合は、取り出し位置に向かった互いに離れるように各ハウジング部分を移動させるためには、より大きな力が必要であることを意味する。
【００５６】
代替的に好ましくは、他方のハウジング部分は、外側ハウジングの表面に１つ又はそれ以上の切り込み又は切り欠きを含む。少なくとも１つのロックフラップは、ハウジング部分が共に閉鎖位置とされる場合に、１つ又はそれ以上の切り込み又は切り欠きと係合する。ハウジング部分を取り出し位置に向かって移動させるためには、ロックフラップを対応する切り込み又は切り欠きから離脱させるのに十分な力を加える必要がある。ロックフラップは、ハウジング部分のうちの１つの壁の内側表面に設けられ、切り込み又は切り欠きは、他方のハウジング部分の対応する壁の外側表面に設けられることが好ましい。壁は、ロックフラップが切り込み又は切り欠きと係合するように、外側ハウジングが閉鎖位置にある場合に相互に重なり合う。
【００５７】
切り込み又は切り欠き内へのロックフラップの係合は、外側ハウジングが安全に閉鎖されたという表示を消費者に与える、可聴のカチッという音のような可聴音を発生させることが好ましい。
【００５８】
例えば、外側ハウジングをその底壁上に立たせることにより、外側ハウジングを平坦な表面でしっかり支持することができるように、外側ハウジングは、開放位置と閉鎖位置の両方において自立式とすることができることが好ましい。従って、開いた容器は、ハウジング部分が互いに離間したままであり、消費財がアクセス開口を通じて突出している状態で、卓上のような平坦な表面に置くことができる。これは、容器内の消費財を供給及び分配する独自の方法を提供する。
【００５９】
本発明による容器の内側シェルは、外側ハウジングが閉鎖位置と取り出し位置との間で移動される際に内側シェルが容器内の適切な位置に固定されたままであるように、外側ハウジング内に固定して取り付けられる。内側シェルは、適切な接着手段を用いて、外側ハウジングの少なくとも１つの壁の内側表面に固着されることが好ましい。内側シェルは、ハウジング部分が互いに対して移動される際に所定の位置に固定されたままである壁の内側表面に固着されることが特に好ましい。特に好ましい実施形態では、内側シェルは、外側ハウジングの底壁に取り付け及び固着される。
【００６０】
内側シェルは、第１と第２の摺動位置間での摺動要素の移動を可能にするようになっている。内側シェルは、少なくとも１つの開放端を有し、それを通じて摺動要素が移動できることが好ましく、内側シェルは、開放上端を有することが特に好ましい。
【００６１】
内側シェルは、好ましくは、外側ハウジングの高さに沿って途中までしか延びず、特に好ましくは、外側ハウジングの高さに沿って半分以上は延びない。これは、内側シェルが摺動要素と外側ハウジングとの間の接続に影響を及ぼすことなく、外側ハウジングが取り出し位置にある場合に消費財へのアクセスを制限しないことを保証する。
【００６２】
前述のように、内側シェルは、外側ハウジングが閉鎖位置にある場合に摺動要素を正しい位置に保持し、第１と摺動位置と第２の摺動位置との間での摺動要素の移動を案内して滑らかな開閉動作を維持する。
【００６３】
摺動要素の第１の摺動位置では、摺動要素は、好ましくは、内側シェル内にできる限り収められる。摺動要素の底壁は、内側シェルの底壁上に支持されることが好ましい。摺動要素は、この第１の摺動位置から第２の摺動位置に、内側シェルに対して摺動可能に移動可能である。内側シェルに対する摺動要素の移動が内側シェルに対する単一の直線移動に制約されるように、内側シェルは、摺動要素の周りに嵌合することが好ましい。従って、第１の摺動位置から第２の摺動位置へ移動させるためには、摺動要素は第１の直線方向に移動され、摺動要素を第１の摺動位置に戻すためには、逆の直線方向に移動される。摺動要素が外側ハウジングの内部で上下移動するように、摺動要素は、好ましくは容器の縦方向、最も好ましくは垂直方向の直線移動を強いられる。第２の摺動位置において消費財が容器中から外へ上昇するように、摺動要素は、第１の摺動位置から第２の摺動位置へ上向き方向に移動されることが特に好ましい。
【００６４】
前述のように、内側シェル中から外への摺動要素の移動の程度は、内側シェル及び摺動要素の相対的大きさ並びに摺動要素が外側ハウジングに接続される位置によって決定することができる。
【００６５】
摺動要素を内側シェルから取り外すことができないように、本発明による容器は、第２の摺動位置を越える摺動要素の移動を防止するための保持手段を更に含むことが好ましい。保持手段は、更に、摺動要素と外側ハウジングとの間の接続による外側部分のハウジング部分の分離の程度を制限することができる。
【００６６】
特定の好ましい実施形態では、保持手段は、摺動要素上に備えられた少なくとも１つの保持タブを含む。少なくとも１つの保持タブは、内側シェルと係合して第２の摺動位置を越える摺動要素の移動を阻止することができる。少なくとも１つの保持タブは、内側シェルの内側に設けられた対応するタブと係合することができ、タブの係合により、内側シェルの中から外へ摺動要素が更に移動するのが阻止される。代替的に、内側シェルは、その内側表面に１つ又はそれ以上の切り欠きを含むことができ、１つ又はそれ以上の切り欠きとの少なくとも１つの保持タブの係合により、摺動要素が更に移動するのが阻止される。
【００６７】
第２の摺動位置を越える摺動要素の移動を阻止するための保持手段の代わりに又はこれに加えて、本発明による容器は、摺動要素を第１の位置に戻すための積極的な力が付与されるまで摺動要素を第２の摺動位置に保持するための保持手段を含むことができる。この積極的な力は、通常、ハウジング部分を互いに向けて閉鎖位置の方へ押し戻すことによって付与されることになる。保持手段は、消費者が容器を例えばテーブルのような支持表面に置いている場合でも、消費財がアクセス開口を通じて突出している状態で容器を開放状態に保持することを好都合に可能にする。これは、消費財を誇示して容器から分配する独自の方法を好都合に提供する。
【００６８】
摺動要素を第２の摺動位置に保持するための保持手段は、好ましくは、摺動要素上に設けられた保持タブ及び内側シェルの内側表面に設けられた切り欠きを含む。摺動要素が第２の摺動位置に移動される際に、摺動要素上の保持タブは、内側シェル上の切り欠きに摺動して入る。摺動要素を第１の摺動位置に向けて逆行せるための何らかの付与される力がない状態では、保持タブは、切り欠き内に留まり、切り欠き内での移動にのみ制約される。従って、保持タブと切り欠きとの係合は、第１の摺動位置に向かう摺動要素の逆行を阻止し、これにより摺動要素は、第２の摺動位置に保持される。
【００６９】
本発明の特に好ましい実施形態では、積極的な力が付与されるまで摺動要素を第２の摺動位置に保持する機能のみならず、第２の摺動位置を越える摺動要素の移動を阻止する機能も実行する単一の保持手段を提供することができる。例えば、摺動要素上に、内側シェルの内側表面の単一の切り欠きと係合させるための単一の保持タブを提供することができる。この場合、切り欠き内への保持タブの係合は、力が付与されるまで、第１の摺動位置へ戻る逆方向への摺動要素の移動を阻止するのみならず、内側シェルの中から外への摺動要素の更なる移動も防止する。
【００７０】
内側シェル及び摺動要素は、同じ形状を有することができる。これにより第１の摺動位置と第２の摺動位置と間での摺動要素の滑らかな移動を可能にすることができる。例えば、内側シェルと摺動要素の両方を、実質的に直方体の形状とすることができる。その場合、内側シェルと摺動要素の両方とも、横方向及び縦方向共に実質的に矩形の断面を有する。用語「縦断面」は、縦方向に沿って、すなわち上部から底部まで切った断面を指す。縦方向断面は、内側シェル又は摺動要素の前壁及び後壁に実質的に平行に、若しくは内側シェル又は摺動要素の側壁に実質的に平行に切ることができる。用語「横断面」は、横方向、すなわち縦方向に垂直に切った断面を指す。代替的に、内側シェル及び摺動要素は、異なる形状を有することができる。これは、第１の摺動位置と第２の摺動位置と間での内側シェルに対する摺動要素の移動を制限することができる。これは、第２の摺動位置を越える摺動要素の移動を阻止するのを助けることができる。例えば、内側シェルは、実質的に直方体の形状とすることができ、摺動要素は、実質的に台形プリズムの形状とすることができる。この場合、内側シェルは、横方向及び縦方向において実質的に矩形の断面を有するが、摺動要素は、縦方向のうちの１つでは実質的に台形の断面を有する。摺動要素は、摺動要素の側壁に実質的に平行に切った実質的に台形の縦断面、及び摺動要素の前壁及び後壁に実質的に平行に切った実質的に矩形の縦断面を有することが好ましい。台形は、２つの平行な縁及び２つの非平行な縁を有する四辺形である。台形は、等脚台形とすることができる。台形は、直角台形とすることができる。台形の平行な辺と台形の平行ではない辺の間の角度は、必要に応じて、摺動要素と内側シェルとの間に所望の摩擦を生じるように選択することができる。好ましくは、台形の平行な辺と台形の平行ではない辺との間の角度は、約８５°〜約９５°、より好ましくは約８８°〜約９３°である。
【００７１】
本発明の容器は、限定するものではないが、ボール紙、板紙、プラスチック、金属、又はこれらの組み合わせを含む任意の適切な材料のブランクから形成することができる。容器がボール紙で形成される場合、ボール紙は、１平方メートル当たり約１００グラム〜１平方メートル当たり約３５０グラムの重量を有することが好ましい。
【００７２】
内側シェル及び摺動要素は、外側ハウジングを形成するために用いられる１つ又はそれ以上のブランクに対して、１つ又はそれ以上の別のブランクから形成されることが好ましい。外側ハウジング、摺動要素、及び内側シェルを形成するためのブランクは、同じ又は異なる材料から作製することができる。容器は、１つ又はそれ以上の折り畳んだ積層ブランクから形成されることが好ましく、１つ又はそれ以上の折り畳んだ積層ボール紙ブランクから形成されることがより好ましい。
【００７３】
本発明による容器は、直角の縦縁及び直角の横縁を備えた直方体の形状とすることができる。代替的に、容器は、１つ又はそれ以上の丸みを付けた縦縁、丸みを付けた横縁、傾斜を付けた縦縁又は傾斜を付けた横縁、若しくはこれらの組み合わせを含むことができる。例えば、本発明による容器は、限定することなく、
−前壁上の１つ又は２つの縦方向の丸み又は傾斜を付けた縁、及び／又は後壁上の１つ又は２つの縦方向の丸み又は傾斜を付けた縁、
−前壁上の１つ又は２つの横方向の丸み又は傾斜を付けた縁、及び／又は後壁上の１つ又は２つの横方向の丸み又は傾斜を付けた縁、
−前壁上の１つの縦方向の丸みを付けた縁及び１つの縦方向の傾斜を付けた縁、及び／又は後壁上の１つの横方向の丸みを付けた縁及び１つの横方向の傾斜を付けた縁、
−前壁上の１つ又は２つの横方向の丸み又は傾斜を付けた縁及び前壁上の１つ又は２つの縦方向の丸み又は傾斜を付けた縁、
−第１の側壁上の２つの縦方向の丸み又は傾斜を付けた縁又は第２の側壁上の２つの横方向の丸み又は傾斜を付けた縁、
を含むことができる。
【００７４】
容器が１つ又はそれ以上の丸みを付けた縁を含み、１つ又はそれ以上の積層ブランクから作製される場合、ブランクは、組み立てられた容器において各丸みを付けた縁を形成するために、３つ、４つ、５つ、６つ又は７つのスコア線又は折り線を含むことが好ましい。スコア線又は折り線は、容器の内側又は容器の外側のいずれかにあることができる。スコア線又は折り線は、約０．３ｍｍ〜４ｍｍだけ互いに離間していることが好ましい。
【００７５】
折り線又はスコア線の間隔は、積層ブランクの厚さの関数であることが好ましい。各折り線又は各スコア線の間の間隔は、積層ブランクの厚さよりも約０．５〜約４倍大きいことが好ましい。
【００７６】
容器が１つ又はそれ以上の傾斜を付けた縁を含む場合、この傾斜を付けた縁は、約１ｍｍ〜約１０ｍｍ、好ましくは約２〜約６ｍｍの幅を有することが好ましい。代替的に、容器は、容器の縁上に２つの別個の傾斜が形成されるように離間した３つの平行な折り線又はスコア線によって形成された二重傾斜を含むことができる。
【００７７】
容器が傾斜を付けた縁を含み且つ１つ又はそれ以上の積層ブランクから作製される場合、傾斜は、積層ブランク内の２つの平行な折り線又はスコア線によって形成することができる。折り線又はスコア線は、第１の壁と第２の壁との間に縁に対して対称的に配置することができる。代替的に、折り線又はスコア線は、傾斜が容器の第２の壁内よりも容器の第１の壁内においてより先へ達するように、第１の壁と第２の壁との間に縁に対して非対称的に配置することができる。
【００７８】
代替的に、容器は、非矩形の横断面、例えば、三角形又は六角形のような多角形、半楕円形、又は半円形の横断面を有することができる。
【００７９】
本発明による容器は、例えば、シガレット、シガー、又はシガリロのような細長い喫煙物品のためのパックとして特定の用途がある。容器の寸法の適切な選択を通して、本発明による容器は、異なる数の従来サイズ、キングサイズ、スーパーキングサイズ、スリム又はスーパースリムシガレットのために設計できることを理解されたい。代替的に、他の消費財を容器の内側に収納することができる。
【００８０】
本発明による容器の寸法の適切な選択を通して、本発明による容器は、異なる総数の喫煙物品又は異なる配置の喫煙物品を保持するように設計することができる。例えば、本発明による容器の寸法の適切な選択を通じて、本発明による容器は、合計５本〜３０本の喫煙物品を保持するように設計することができる。
【００８１】
喫煙物品は、喫煙物品の総数に応じて、異なる丁合で配置することができる。例えば、喫煙物品は、５本、６本、７本、８本、９本又は１０本から構成される単一の列に配置することができる。代替的に、喫煙物品は、２つ又はそれ以上の列に配置することができる。２つ又はそれ以上の列には、同数の喫煙物品を収めることができる。例えば、喫煙物品は、５本、６本、７本、８本、９本又は１０本から構成される２列、５本又は７本から構成される３列、若しくは４本、５本又は６本から構成される４列に配置することができる。代替的に、２つ又はそれ以上の列は、互いに異なる数の喫煙物品を収めた少なくとも２つの列を含むことができる。例えば、喫煙物品は、５本から構成される列と６本から構成される列（５−６）、６本から構成される列と７本から構成される列（６−７）、７本から構成される列と８本から構成される列（７−８）、５本から構成される中央の列と６本から構成される２つの外側の列（６−５−６）、５本から構成される中央の列と７本から構成される２つの外側の列（７−５−７）、６本から構成される中央の列と５本から構成される２つの外側の列（５−６−５）、６本から構成される中央の列と７本から構成される２つの外側の列（７−６−７）、７本から構成される中央の列と６本から構成される２つの外側の列（６−７−６）、９本から構成される中央の列と８本から構成される２つの外側の列（８−９−８）又は５本から構成される１つの外側の列及び７本から構成される１つの外側の列を備えた６本から構成される中央の列（５−６−７）に配置することができる。
【００８２】
本発明による容器は、同じ種類又はブランドの喫煙物品を保持してもよく、異なる種類又はブランドの喫煙物品を保持してもよい。加えて、異なる長さ（例えば、約４０ｍｍ〜約１８０ｍｍ）、直径（例えば、約４ｍｍ〜約９ｍｍ）の喫煙物品のみならず、フィルタレス喫煙物品と種々のフィルタチップを備えた喫煙物品の両方を収めることができる。加えて、喫煙物品は、風味の強さ、吸引抵抗、及び粒子状物質総送達量が異なっていてもよい。容器の寸法は、喫煙物品の長さ及び喫煙物品の丁合（collation）に適合されることが好ましい。一般的に、容器の外寸は、容器の内側に収納された喫煙物品の束又は複数束の寸法よりも約０．５ｍｍ〜約５ｍｍ大きい。
【００８３】
本発明による容器の長さ、幅、及び奥行きは、外側ハウジングの閉鎖位置で、結果として得られる容器の全体寸法が２０本のシガレットの一般的な使い捨てヒンジ蓋パックの寸法と同様となるようにすることができる。
【００８４】
本発明による容器は、高さを容器の底壁から上壁まで測定した場合に、約６０ｍｍ〜約１５０ｍｍの高さを有することが好ましく、約７０ｍｍ〜約１２５ｍｍの高さを有することがより好ましい。
【００８５】
本発明による容器は、幅を容器の一方の側壁から他方の側壁まで測定した場合に、約１２ｍｍ〜約１５０ｍｍの幅を有することが好ましく、約７０ｍｍ〜約１２５ｍｍの幅を有することがより好ましい。
【００８６】
本発明による容器は、奥行きを容器の前壁から後壁まで測定した場合に、約６ｍｍ〜約１５０ｍｍの奥行きを有することが好ましく、約１２ｍｍ〜約２５ｍｍの奥行きを有することがより好ましい。
【００８７】
容器の高さと容器の奥行きの比は、約０．３対１と約１０対１の間にあることが好ましく、約２対１と約８対１の間にあることがより好ましく、約３対１と５対１の間にあることが最も好ましい。
【００８８】
容器の幅と容器の奥行きの比は、約０．３対１と約１０対１の間にあることが好ましく、約２対１と約８対１の間にあることがより好ましく、約２対１と３対１の間にあることが最も好ましい。
【００８９】
容器の内面又は外面、若しくは本発明による容器の内面と外面の両方に、製造業者又はブランドのロゴ、商標、スローガン及び他の消費者情報並びに標示を印刷、エンボス加工、デボス加工又は別の方法で装飾を施すことができる。
【００９０】
本発明による容器内部の消費財は、個別に包装してもよく、複数の消費財を一緒に包装してもよい。
【００９１】
充填された状態で、本発明による容器は、従来の方法で、例えば、高密度又は低密度のポリエチレン、ポリプロピレン、配向ポリプロピレン、ポリ塩化ビニリデン、セルロースフィルム又はこれらの組み合わせの透明高分子フィルムで収縮包装するなどして上包装することができる。本発明による容器を上包装する場合、上包装紙は、１つ又はそれ以上の開封テープを含むことができる。加えて、上包装紙には、画像、消費者情報又は他のデータを印刷することができる。
【００９２】
開封テープが備えられる場合、開封テープは、好ましくは、開封テープが一般的に容器の周りに実質的に水平に延びる従来のパックにおけるものとは異なり、容器の周りに実質的に垂直に、すなわち縦方向に延びる。開封テープの垂直配置の提供により、消費者がハウジング部分を互いに分離することによって外側ハウジングを開放しようとする前に外側ラッパーが完全に取り除かれることが保証される。これは、さもなければ開放機構に影響を及ぼしかねない、外側ラッパーの一部が容器上に保持されるということがないことを保証する。
【００９３】
容器が喫煙物品を含む場合、容器は、廃棄物のための仕切り（例えば、灰又は吸い殻のための）若しくは他の消費財、例えば、マッチ、ライター、消火手段、気分転換剤、又は電子機器を更に含むことができる。これらのその他の消費財は、容器の外側に取り付けてもよく、喫煙物品と一緒に容器内部の容器の別々の仕切りに収めてもよく、これらの組み合わせであってもよい。
【００９４】
前述のように、本発明は、更に、本発明による容器から消費財にアクセスする方法を対象としており、本方法は、外側ハウジングの第１のハウジング部分及び第２のハウジング部分を閉鎖位置から取り出し位置へ互いに遠ざかるように移動させ、これによって同時に、消費財が少なくとも部分的に内側シェルから突出してアクセス開口を通って少なくとも部分的にアクセス可能となるように、摺動要素を第１の摺動位置から第２の摺動位置へ移動させる段階と、外側ハウジングの第１のハウジング部分及び第２のハウジング部分を取り出し位置から閉鎖位置へ互いに向かって移動させ、これによって同時に、未使用の消費財が容器の内部に戻るように、摺動要素を第２の摺動位置から第１の摺動位置へ移動させる段階と、を含む。
【００９５】
本発明は、以下に、例示的に添付の図面を参照して説明される。
【図面の簡単な説明】
【００９６】
【図１】本発明による容器の斜視図であり、外側ハウジングは閉鎖位置にある。
【図２】図１の容器の斜視背面図であり、外側ハウジングは取り出し位置にある。
【図３】部分的に分解した状態の図１及び図２の容器の斜視図であり、摺動要素は外側ハウジングから取り外されている。
【図４ａ】図１から図３の容器の外側ハウジングを形成するのに適した積層ブランクである。
【図４ｂ】図１から図３の容器の内側シェルを形成するのに適した積層ブランクである。
【図４ｃ】図１から図３の容器の摺動要素を形成するのに適した積層ブランクである。
【発明を実施するための形態】
【００９７】
図１から図３で使用される参照数字は、図４ａ、ｂ、及びｃで使用されるものに対応し、その逆も同様であり、ブランクの各パネルには、組み立てられた容器においてパネルが形成する壁、フラップ、又はタブを示すために使用される参照数字が付与されている。図４ａ、ｂ、及びｃでは、ブランク内の破線は折り畳み線を示し、実線はカット線を示す。
【００９８】
図１から図３に示す容器１０の形状は直方体であり、外側ハウジング１２と、内側シェル１４と、摺動要素１６とを備える。摺動要素１６は、包装されたシガレット束１８を収容する。
【００９９】
外側ハウジング１２は、この外側ハウジングの底壁２２の対向する前縁及び後縁に接続された前部ハウジング部分２０と後部ハウジング部分２１とを備える。前部ハウジング部分２０及び後部ハウジング部分２１は、互いに実質的に同じ形状及び寸法を有する。外側ハウジング１２は、図４ａに示す単一の積層ブランク１１２から組み立てることができる。
【０１００】
前部ハウジング部分２０は、前壁２４と、左側壁２６と、右側壁２８と、上壁３０とを備える。第１のハウジング部分２０の背面は、開放されている。前部ハウジング部分２０は、底壁２２の前縁Ａに沿って底壁２２に接続されており、この前縁の周りで枢動可能である。後部ハウジング部分２１は、後壁３２と、左側壁２７と、右側壁２９と、上壁３１とを備える。第２のハウジング部分２１の前面は、開放されている。後部ハウジング部分２１は、底壁２２の後縁Ｂに沿って底壁２２に接続されており、この後縁の周りで枢動可能である。
【０１０１】
図２から分かるように、各ハウジング部分２０、２１は、このハウジング部分の側壁の対向する自由縁から延びる一対の対向する切り欠き３４を備える。第１のハウジング部分２０内の切り欠き３４は、第２のハウジング部分２１を把持して各ハウジング部分を互いに離れるように動かすことを容易にする。
【０１０２】
外側ハウジング１２の第１のハウジング部分及び第２のハウジング部分２０及び２１は、図１に示す閉鎖位置と図２に示す取り出し位置との間で互いに対して枢動可能である。閉鎖位置では、第２のハウジング部分２１は、第１のハウジング部分２０内に収容され、第１のハウジング部分２０の上壁３０及び側壁２６、２８が第２のハウジング部分２１の対応する上壁３１及び側壁２７、２９の上に重なるようになっている。
【０１０３】
外側ハウジング１２を図２に示す取り出し位置に動かすためには、各ハウジング部分が他方から遠ざかるように枢動して外向き及び下向き方向に動くように、ハウジング部分２０、２１を互いに離れるように引っ張る。外側ハウジングの底壁２２は、所定の位置に固定されたままである。図２に示すように、外側ハウジング１２の取り出し位置では、ハウジング部分２０、２１は互いに離れて、喫煙物品を取り出すことができるアクセス開口をもたらすようになっている。アクセス開口は、容器１０の上端を横切って容器の側部の途中まで下方に延びる。
【０１０４】
外側ハウジング１２は、第１のハウジング部分２０の上壁３０の内側パネル内に形成されたロックフラップ３６と、第２のハウジング部分２１の上壁３１の外側パネルを横切って延びる切れ目３８とを備えるロックデバイスを包含する。外側ハウジング１２の閉鎖位置では、ロックフラップ３６は、切れ目３８内に受け入れられ、各ハウジング部分を離してロックフラップ３６を切れ目３８から解放するための積極的な力が付与されるまで、第２のハウジング部分２１を第１のハウジング部分２０内の所定の位置に保持する。
【０１０５】
内側シェル１４は、外側ハウジング１２内に取り付けられ、スリーブ底壁４０と、スリーブ前壁４２と、スリーブ後壁４４と、スリーブ左側壁４６と、スリーブ右側壁４８とを備える。内側シェル１４の上端は、開放されている。内側シェル１４は、図４ｂに示す単一の積層ブランク１１４から組み立てることができる。
【０１０６】
スリーブ底壁４０は、外側ハウジング１２の底壁２２に付着される。内側シェル１４は、外側ハウジング１２の高さの約半分に相当する高さを有する。内側シェル１４の外側横断面は、外側ハウジング１２の閉鎖位置において外側ハウジング１２の壁が内側シェル１４の対応する壁の上に重なるように、外側ハウジング１２の内側横断面に対応する。
【０１０７】
内側シェル１４は、スリーブ右側壁４８の内側パネルに切り欠き５０を含むが、その目的を以下に説明する。また、内側シェル１４は、スリーブ後壁４４に接続された係合タブ４９を含み、その目的は同様に以下に説明する。
【０１０８】
摺動要素１６は、内側シェル１４内に取り付けられ、内側シェルに対して垂直方向に摺動可能である。摺動要素１６は、摺動底壁５２と、摺動前壁５４と、摺動後壁５６と、摺動左側壁５８と、摺動右側壁６０とを備える。摺動要素１６の上端は、開放されている。摺動要素１６は、内側シェル１４とほぼ同じ高さを有する。摺動要素１６の外側横断面は、内側シェル１４の内側横断面に対応し、これにより摺動要素が内側シェルに対して移動する際に、摺動要素１６の前壁、後壁及び側壁は、内側シェル１４の対応する壁に接触して摺動する。摺動要素１６は、図４ｃに示す単一の積層ブランク１１６から組み立てることができる。
【０１０９】
摺動要素１６は、摺動右側壁６０の下端の方に保持タブ６２を含む。保持タブ６２は、摺動右側壁を横切って実質的に水平に延びるヒンジ線の周りで枢動可能である。摺動要素１６が上向きに、内側シェル１４から外へ移動する際に、保持タブ６２は、スリーブ右側壁４８内の切り欠き５０に潜り込み、ヒンジ線の周りで下向きに折り曲げられる。保持タブ６２が切り欠き５０の上縁と係合することで、摺動要素１６の上向き方向への何らかの動きが阻止される。
【０１１０】
また、摺動要素１６は、摺動底壁５２に接続された係合タブ５３を含む。摺動要素１６が上向きに、内側シェル１４から外へ移動する際に、係合タブ５３は内側シェル１４上の係合タブ４９と係合することで、摺動要素１６の内側シェル１４に対して上向き方向への何らかの動きが阻止される。係合タブ５３及び内側シェル１４上の対応する係合タブ４９は、摺動要素１６及び内側シェル１４のどちら側に設けてもよい。代替的に、摺動要素１６に２つ以上の係合タブを、内側シェル１４に対応する係合タブを設けることができる。
【０１１１】
保持タブ６２及び切り欠き５０は、係合タブ５３及び４９に加えて又はそれらに対する代替物として設けることができる。
【０１１２】
この第２の摺動位置では、保持タブ６２は、前述のように下向きに折り曲げられ、折り曲げられた保持タブ６２は、切り欠き５０の下縁にフック留めされる。この保持タブ６２のフック留めは、保持タブ６２を切り欠き５０から解放するために積極的な下向きの力が付与されるまで、摺動要素１６が下向き方向に動くのを阻止する。従って、摺動要素１６は上昇位置に保持され、自発的に摺動して内側シェル１４内に戻ることはできない。切り欠き５０から保持タブ６２のフック留めを解除するために積極的な力が付与された時点で、摺動要素１６は内側シェル１４内へ逆行し、保持タブ６２は最初の位置へ上向きに折り曲げられる。
【０１１３】
摺動要素１６は、摺動前壁５４の上縁から延びる前部開放フラップ６４を更に含み、前部開放フラップ６４は、この上縁に沿って延びる折り畳み線の周りで枢動可能である。同様に、後部開放フラップ６５は、摺動後壁５６の上縁から延びており、後部開放フラップ６５は、この上縁に沿って延びる折り畳み線の周りで枢動可能である。前部開放フラップ６４及び後部開放フラップ６５は、摺動要素１６の全幅にわたって延びる。
【０１１４】
前部接続タブ６６は前部開放フラップ６４の上縁から延び、同様に、後部接続タブ６７は、後部開放フラップ６５の上縁から延びる。前部接続タブ６６及び後部接続タブ６７は、これらの上縁にわたって延びる折り畳み線の周りで、対応する開放フラップの上縁の周りで枢動可能である。
【０１１５】
組み立てられた容器１０では、前部接続タブ６６は、前壁２４の上縁に隣接して、前部ハウジング部分２０の前壁２４の内側表面に接着されている。同様に、後部接続タブ６７は、後部ハウジング部分２１の後壁３２の内側表面に接着されている。従って、前部開放フラップ６４及び後部開放フラップ６５は、摺動要素１６とハウジング部分２０、２１とを接続し、各開放フラップは、接続された摺動要素１６及びハウジング部分の両方に対して枢動可能である。図３では、単に説明のために、容器は、接続タブ６６、６７が外側ハウジングから取り外された状態で示されている。
【０１１６】
図１に示す外側ハウジング１２の閉鎖位置では、摺動要素１６は、摺動後壁５２が外側ハウジングの底壁２２上に支持された状態で、内側シェル１４内に完全に挿入された第１の摺動位置にある。この第１の摺動位置では、開放フラップ６４、６５は、喫煙物品の束１８と外側ハウジング１２との間に位置し、摺動前壁５４及び摺動後壁５６の延長部分をそれぞれ形成している。
【０１１７】
図２に示す取り出し位置に向かって外側ハウジングを動かすために、ハウジング部分２０、２１が互いに離れるように動かす際に、開放フラップとハウジング部分との間の接続によって、開放フラップ６４、６５も外向きに引っ張られる。これにより、摺動要素１６の内側シェル１４内から外への上向きの動きがもたらされる。
【０１１８】
図２に示す外側ハウジング１２の取り出し位置では、摺動要素１６は、第２の摺動位置にある。第２の摺動位置では、摺動要素１６は内側シェル１４から部分的に上昇し、喫煙物品の束１８は、ハウジング部分２０、２１の間に形成されたアクセス開口を通って突出するようになっている。この位置で、ラッパーを束から取り外して、喫煙物品の１つ又はそれ以上を取り出すことができる。
【０１１９】
第２の摺動位置では、摺動要素１６の保持タブ６２は、内側シェル１４の内側表面の切り欠き５０と係合している。切り欠き５０の縁部と保持タブ６２の自由縁との当接により、内側シェル１４に対する摺動要素１６の何らかの上向きの動き阻止される。このことは結果的にハウジング部分２０、２１のさらに離れるような何らかの動きを阻止する。加えて、切り欠き５０との保持タブ６２の係合は、ハウジング部分２０、２１を閉鎖位置に押し戻すための積極的な力が付与されるまで、摺動要素を第２の摺動位置に保持する。
【０１２０】
容器１０を閉鎖するために、ハウジング部分２０、２１は互いの方に向かって押し戻される。これにより内側シェル１４内に戻る摺動要素１６の下向きの動きがもたらされる。
【０１２１】
前述の図４ｃでは、摺動左側壁５８及び摺動右側壁６０は矩形であり、それぞれ内側シェル１４のリーブ左側壁４６及びスリーブ右側壁４８の矩形形状に一致するようになっている。しかしながら、図示していない代替的な実施形態では、摺動左側壁５８及び摺動右側壁６０は台形である。この実施形態では、摺動左側壁５８の上縁及び下縁は依然として互いに平行あるが、摺動左側壁５８の前縁及び後縁は平行ではない。同様に、摺動右側壁６０の上縁及び下縁は依然として平行であるが、摺動右側壁６０の前縁及び後縁は平行ではない。摺動側壁５８、６０の上縁又は下縁と摺動側壁５８、６０の前縁又は後縁との間の角度は、約８５°〜約９５°、より好ましくは約８８°〜約９３°とすることができる。２つの摺動側壁５８、６０は、好ましくは同じ形状であり、摺動側壁５８、６０の下縁は、摺動側壁５８、６０の上縁よりも長いことが好ましい。積層ブランク１１６を組み立てた時に、摺動要素１６は、台形プリズムの形状を有する。摺動要素１６は、摺動側壁５８、６０に実質的に平行に切った台形縦断面を有する。この台形形状は、摺動要素１６が内側シェル１４に対して移動する場合に、摺動要素１６と内側シェル１４との間に摩擦をもたらす。これは内側シェル１４に対する摺動要素１６の動きを制限するので、何らかの他の保持手段（例えば、保持タブ６２及び切り欠き５０、又は係合タブ５３、４９）も不要とすることができる。摺動側壁の上縁又は下縁と摺動側壁の前縁又は後縁との間の特定の角度は、摺動要素１６と内側シェル１４との間に所望の摩擦を生成する要求に応じて選択することができる。更に別の代替的構成では、摺動前壁５４及び摺動後壁５６は台形であるが、摺動左側壁５８及び摺動右側壁６０は矩形である。この場合、摺動要素１６は、摺動前壁５４及び摺動後壁５６に実質的に平行に切った台形縦断面を有する。
【０１２２】
前述のように、容器１０は、図４ａ、4ｂ、及び４ｃに示す積層ブランクから組み立てることができる。最初に、図４ｃに示す積層ブランク１１６から摺動要素１６を組み立て、摺動要素１６の開放端から包装済みの喫煙物品の束１８を挿入する。次に、図４ｂに示す積層ブランク１１４から内側シェル１４を組み立て、内側シェル１４の開放端から充填済み摺動要素を挿入する。外側ハウジング１２を図４ａに示す積層ブランク１１２から組み立てる。次に、内側シェル１４及び摺動要素１６を組み立てられた外側ハウジング１２内に取り付け、適切な接着剤を用いて内側シェル１４の底壁４０を外側ハウジング１２の底壁パネル２２に接着する。前述のように、最後に、前部接続タブ６６及び後部接続タブ６７を対応するハウジング部分２０、２１の内側表面に接着する。ハウジング部分２０、２１を一緒に閉鎖して、従来の方法で容器１０を透明外側ラッパーでオーバーラップすることができる。
【符号の説明】
【０１２３】
１０  容器
１２  外側ハウジング
１６  摺動要素
１８  包装済みの喫煙物品の束
２０  前部ハウジング部分
２１  後部ハウジング部分
２６  前部ハウジング部分の左側壁
２７  後部ハウジング部分の左側壁
２８  前部ハウジング部分の右側壁
２９  後部ハウジング部分の右側壁
３０  前部ハウジング部分の上壁
３１  後部ハウジング部分の上壁
３４  切り欠き
６４  前部開放フラップ
６５  後部開放フラップ
【図１】
2015517442.tif 000003
【図２】
2015517442.tif 000004
【図３】
2015517442.tif 000005
【図４ａ】
2015517442.tif 000006
【図４ｂ】
2015517442.tif 000007
【図４ｃ】
2015517442.tif 000008
【国際調査報告】
2015517442.tif 000009
2015517442.tif 000010